(57)【要約】【課題】電子機器の収納部や端子が設けられた開口部を覆う蓋開閉機構において、部品点数を少なくして収納物の挿入、取り出しに十分な開口を得られるようにした蓋開閉機構である。【解決手段】機器の筐体に設けられた開口部を開閉する蓋体の蓋開閉機構において、蓋体に備えられたスライド部と、筐体と蓋体の間に備えられる中間体とを備えており、中間体は第１のヒンジ部と第２のヒンジ部を有するヒンジ体を備えている。第１のヒンジ部はスライド部と摺動かつ回動可能に設けられ、第２のヒンジ部は筐体に回動可能に設けられている。蓋体は第１のヒンジ部によって摺動し、第1のヒンジ部と第2のヒンジ部によって回動することで、筐体の表面に蓋体の裏面が重なるように開くことができる。【選択図】図３
2013058708.tif 000002
【特許請求の範囲】
【請求項１】
電子機器の筐体に設けられた開口部を開閉する蓋体の蓋開閉機構において、
前記蓋体に備えられたスライド部と、
前記筐体と前記蓋体の間に備えられる中間体とを備え、
前記中間体は第１のヒンジ部と第２のヒンジ部を設けたヒンジ体を有しており、
前記第１のヒンジ部は前記スライド部と摺動かつ回動可能に設けられ、
前記第２のヒンジ部は前記筐体と回動可能に設けられ、
前記蓋体が開いた状態では筐体の表面に蓋体の裏面が重なるようにすることを特徴とする蓋開閉機構。
【請求項２】
請求項１に記載された蓋開閉機構において、
前記中間体は軸部を備え、
前記蓋体を前記軸部に対して摺動かつ回動可能に取り付けるヒンジカバーを備えることを特徴とする蓋開閉機構。
【請求項３】
請求項２に記載された蓋開閉機構において、
前記中間体は連結部を備え、
前記連結部は筐体に回動可能に連結され、前記第２のヒンジ部の回動に連動して回動することを特徴とする蓋開閉機構。
【発明の詳細な説明】
【技術分野】
【０００１】
本発明は、電子機器において、電池や記録媒体等が着脱可能に挿入、収納される収納部や外部機器接続用の端子を有する開口部を開閉する蓋体の蓋開閉機構に関する。
【背景技術】
【０００２】
従来、電子機器には電源として用いる電池や、各種の情報を記録した記録媒体等を収納するための収納部を有しているものが多い。また、外部機器と接続するための端子が設けられているものもある。これら収納部や端子は、蓋開閉機構を有する蓋体によって覆われて保護されている。そして、蓋開閉機構には目的や用途に応じて様々な構成が採用されている。
【０００３】
例えば、特許文献1には、コイルバネとヒンジを設けて、蓋体を摺動させてからヒンジを中心に回動させることによって収納部の開口を確保する構造の蓋開閉機構が開示されている。
【０００４】
また、特許文献２には、特許文献１とは異なる構成で収納部の開口を確保し、収納物の着脱が容易に行えるようにした蓋開閉機構が開示されている。
図８は、特許文献２の蓋体４１の開閉動作の各状態を示した図である。図８（ａ）は、蓋開閉機構４０によって蓋体４１が閉じた状態、図８（ｂ）は、蓋体４１を引き出した状態、図８（ｃ）は、蓋体４１をヒンジ部４２に従って回動した状態、図８（ｄ）は、蓋体４１をヒンジ部４３に従って回動して、蓋開閉機構４０によって蓋体４１を開放した状態を示した図である。
【０００５】
図８を用いて、蓋体４１を開く操作について説明する。
図８（ａ）は蓋体４１が閉じた状態であり、蓋体４１を開閉する蓋開閉機構４０は2つのヒンジ部４２、４３を有するスライドヒンジ４４と、バネ部材４５と、ヒンジホルダ４６を有している。
蓋体４１は、図８（ｂ）に示すようにスライドヒンジ４４と一体に摺動させることができる。これにより蓋体４１の係合突子４７と筐体の係合部４８が離脱し係合が解除される。
【０００６】
さらに蓋体４１は、図８（ｃ）、図８（ｄ）に示すようにヒンジ部４２、４３を中心にバネ部材４５のねじり弾力によって2段階に回動させることができる。これによって蓋体４１は開放された状態となる。
この蓋体４１の開放動作は、バネ部材４５のねじり弾力によって係合突子４７と係合部４８の係合解除後に自動的におこなわれ、蓋体４１は開放した状態で保持される。
【先行技術文献】
【特許文献】
【０００７】
【特許文献１】特開２００７−１７３４７３
【特許文献２】特開２０００−２００９８３
【発明の概要】
【発明が解決しようとする課題】
【０００８】
このように、従来の蓋開閉機構では、収納部の開口を確保することができるものの、蓋体の開閉のためのヒンジ機構以外に、バネ部材やスライドヒンジ、ヒンジホルダなど複数の部材を使用する必要があった。
【０００９】
本発明は、上記問題点に鑑み、少ない部品点数で収納物の挿入、取り出しに十分な開口を得られる蓋開閉機構を提供することを目的とする。
さらに、上記目的に加えて蓋体を閉じた状態で筐体の表面に蓋開閉機構の部材が現れない構成とすることで筐体のデザイン性を高めることができる。
【課題を解決するための手段】
【００１０】
請求項1に記載された蓋開閉機構は、電子機器の筐体に設けられた開口部を開閉する蓋体の蓋開閉機構において、前記蓋体に備えられたスライド部と、前記筐体と前記蓋体の間に備えられる中間体とを備え、前記中間体は第１のヒンジ部と第２のヒンジ部を設けたヒンジ体を有しており、前記第１のヒンジ部は前記スライド部と摺動かつ回動可能に設けられ、前記第２のヒンジ部は前記筐体と回動可能に設けられ、前記蓋体が開いた状態では筐体の表面に蓋体の裏面が重なるようにすることを特徴とする。
【００１１】
請求項２に記載された蓋開閉機構は、請求項１に記載された蓋開閉機構において、前記中間体は軸部を備え、前記蓋体を前記軸部に対して摺動かつ回動可能に取り付けるヒンジカバーを備えることを特徴とする。
【００１２】
請求項３に記載された蓋開閉機構は、請求項２に記載された蓋開閉機構において、前記中間体は連結部を備え、前記連結部は筐体に回動可能に連結され、前記第２のヒンジ部の回動に連動して回動することを特徴とする。
【発明の効果】
【００１３】
本発明の蓋開閉機構によれば、バネ部材などを使用しない少ない部品点数で十分な開口を得られる蓋開閉機構を実現できる。
また、上記の効果に加えて蓋体を閉じた状態では、蓋開閉機構の部材は筐体の表面に現れないので、筐体のデザインを崩すことがない。さらに、蓋体と筐体との境界線を筐体の表面で目立たないようにすることができるので、筐体のデザイン性を高めることができる。
【図面の簡単な説明】
【００１４】
【図１】本発明の蓋開閉機構を適用した電子機器の外観図である。
【図２】本発明の蓋体を開放して筐体の開口部が現れた状態を示した図である。
【図３】蓋開閉機構を構成する部材を展開した図である。
【図４】蓋体が閉じている状態を示す断面図である。
【図５】蓋体を摺動させた状態を示す断面図である。
【図６】蓋体を第１のヒンジ部で回転させた状態を示す断面図である。
【図７】蓋体を第２のヒンジ部で回転させ、蓋体を開放した状態を示す断面図である。
【図８】従来の蓋開閉機構による蓋体の開放動作の各状態を示す断面図である。
【発明を実施するための形態】
【００１５】
実施形態
実施形態の蓋開閉機構について図１から図７を用いて説明する。
また、図１は、本発明の電子機器（無線操縦装置１）の筐体２を正面から見た図である。そして、図中筐体２の右側面には図示しない蓋開閉機構によって蓋体４が開閉自在に設けられている。なお、図１では蓋体４は閉じた状態である。
さらに、図１の状態で外部から見える筐体２の面を筐体２および蓋体４の表面とする。また、蓋開閉機構３を閉じているときに図示しない開口部と向かい合っている蓋体４の面を蓋体４の裏面とする。
【００１６】
無線操縦装置１は、操作信号を無線送信して、図示しない模型自動車や模型飛行機、模型ヘリコプタ、模型艦船などの被操縦体を遠隔制御する。
被操縦体は、受信装置とその受信装置に接続されたエンジンやモータなどの駆動装置を備え、操作信号によって駆動装置が制御されている。
【００１７】
図２は、蓋開閉機構３を開放して筐体２に設けられた開口部２０が現れた状態を表した外観図である。この図では収納部２１に設けられている内蓋２２を開放した状態を示している。
また、図３は蓋開閉機構３に関する部材を展開した図面である。この図では内蓋２２を省略している。
さらに図４から図７は、蓋開閉機構３によって蓋体４を閉じた状態から開放した状態までの一連の動作を示した断面図である。
【００１８】
筐体２には、図２に示すように開口部２０が設けられている。開口部２０は蓋開閉機構３によって蓋体４を開閉させて、開口部２０を閉じたり開いたりできる構成となっている。
【００１９】
開口部２０には、無線操縦装置１の電源として使用されるバッテリの収納部２１が設けられている。バッテリは収納部２１の形状に合わせたものが使用される。また、バッテリの収納部２１には内蓋２２が設けられており、バッテリが脱落するのを防いでいる。
さらに開口部２０には収納部２１の他に外部記録媒体を収納するための記録媒体用の収納部２３や、外部機器接続用の端子２４が設けられている。
この他に開口部２０にはヒンジ結合部２６と筐体側連結部２５が設けられている。ヒンジ結合部２６は凹部を有し、この凹部に後述する蓋開閉機構３の中間体の一方に形成された第２のヒンジ部７が係合している。また、筐体側連結部２５は穴部を有し、この穴部に中間体の他方に形成された連結部１０が係合している。
【００２０】
さらに蓋開閉機構３は、図３に示すように中間体５とヒンジカバー１２、さらに蓋体４の裏面に設けられた図示しないスライド部によって構成されている。
具体的には図４に示すように、スライド部１１は蓋体４の長手方向と直交する方向に凹部を有している。スライド部１１の凹部には略柱状の第１のヒンジ部６が係合し、蓋体４が中間体５に対して摺動かつ回動可能になっている。ただし、第１のヒンジ部６がスライド部１１の凹部の一方の端部に位置していないと、蓋体４と中間体５が抵触してしまい、蓋体４の回動をおこなうことができないようになっている。
このように蓋体４にスライド部１１を設けることで、部品点数を少なくしている。
【００２１】
続いて中間体５の構成について具体的に説明する。
中間体５は、蓋体４と筐体２の間に設けられ、筐体２に対し、中間体５を介して蓋体４を支承し、筐体２に対する蓋体４の開閉動作を案内するものである。また、中間体５は棒状の軸部９と、軸部９の一方の端部にヒンジ体８と、他方の端部に連結部１０を備えている。そして、ヒンジ体８は第１のヒンジ部６と第２のヒンジ部７を備えている。
この他にヒンジ体８の一方の端部には略柱状の第１のヒンジ部が設けられており、さらに、この第１のヒンジ部６は軸部９と同一軸状に設けられている。また、ヒンジ体の他方の端部には略柱状の第２のヒンジ部７が設けられている。第２のヒンジ部７は、第１のヒンジ部６と軸が平行に形成されている。
【００２２】
第１のヒンジ部６は、蓋体４のスライド部１１の凹部と係合し、蓋体４が中間体５に対して摺動かつ回動可能になるように構成されている。
また、第2のヒンジ部７は、ヒンジ結合部２６の凹部に係合し、中間体５が筐体２に対して回動可能になるように構成されている。
【００２３】
連結部１０は、柱状部材と、この柱状部材の両端を固定する板状部材からなり、この板状部材を介して連結部１０は軸部９と一体に形成されている。そして、筐体側連結部２５の穴部に柱状部材を挿入し、板状部材によって筐体側連結部２５を挟み込むように柱状部材を両端から固定している。
連結部１０の柱状部材は、第２のヒンジ部７と同一直線状に設けられており、第２のヒンジ部７がヒンジ結合部２６に対して回動すると、連結部１０も筐体側連結部２５に対して回動する。このようにして連結部１０は、筐体２に対して中間体５が回動可能となるように構成されている。
【００２４】
軸部９は略柱状であり、軸部９の一部は後述するヒンジカバー１２によって蓋体４に装着されている。
そして、軸部９は第１のヒンジ部６と同一直線状に設けられており、蓋体４のスライド部１１が第１のヒンジ部６に対して動作すると、ヒンジカバー１２も軸部９に対して動作する。このようにして軸部９は、蓋体４が中間体５に対して摺動かつ回動可能になるように構成されている。
中間体５はこれらの構成を一体の部材として備えているため、部品点数を削減することができる。
【００２５】
次にヒンジカバー１２と蓋体４の形状と位置関係を具体的に説明する。
ヒンジカバー１２は長手方向に凹部を有するＵ字状の板部材であり、ネジ１３などの固定手段によって蓋体４の裏面に固定されている。また、蓋体４は板状の部材であり、筐体２の側面を構成している。
そして、蓋体４の裏面とヒンジカバー１２の凹部によって、蓋体４の長手方向に略楕円状の穴部が形成され、この穴部には中間体５の軸部９が装着されている。中間体５は軸部９を介して蓋体４およびヒンジカバー１２の長手方向と直交する方向に摺動可能となっており、さらにヒンジカバー１２の凹部の一端に軸部９が位置するときは、軸部９が蓋体４およびヒンジカバー１２に対して回動可能となっている。
【００２６】
ヒンジカバー１２は、蓋体４の裏面に固定されているので、蓋体４を閉じた状態では筐体２の表面には現れない。また、中間体５は蓋体４の裏面と開口部２０の間に設けられているため、蓋開閉機構３を閉じた状態のときは筐体２の表面には現れない。よって、蓋開閉機構３を閉じた状態では蓋体４以外の蓋開閉機構３の構成は筐体２の表面には現れないようにできる。
この他に蓋体４によって筐体２の側面を形成し、さらに蓋開閉機構３を蓋体４の裏面と筐体２の開口部２０との間に設けていることから、筐体２の側面に筐体２と蓋体４の境界線が現れないようにできる。
【００２７】
蓋開閉機構３は以上のような構成を備えている。
そして、中間体５の第２のヒンジ部７と連結部１０は同一直線状に設けられており、第２のヒンジ部７と連結部１０は、筐体２に対して一体となって回動可能となるように、ヒンジ結合部２６と筐体側連結部２５に連結している。
また、中間体５の第１のヒンジ部６と軸部９は同一直線状に設けられており、蓋体４は中間体５に対して摺動かつ回動可能となるように、スライド部１１とヒンジカバー１２に第１のヒンジ部６と軸部９を装着している。
【００２８】
次に、蓋開閉機構３を開いて開口部２０を開放する動作について図４から図７を用いて説明する。
図４は、蓋開閉機構３によって蓋体４が閉じた状態を示した図である。図４の状態から図５に示すように蓋体４を筐体２の背面方向に平行に移動させる。これによって蓋体４に設けられていた係合凸部１４が筐体２の係合部１５から離脱する。
このとき、第1のヒンジ部６は蓋体４のスライド部１１の凹部と係合しているので、蓋体４はスライド部１１の凹部の一方の端部に第１のヒンジ部６が当接するまで、図中の矢印Ｂに示すように移動することができる。
また、第１のヒンジ部６と中間体５の図示しない軸部は同一直線状に設けられており、一体となって動作するので、蓋体４は軸部に対しても移動する。
【００２９】
次に図６のように第１のヒンジ部６を回動の中心として、図中の矢印Ｃの方向に蓋体４を回転させる。このとき、蓋体４は中間体５の図示しない軸部に対しても回転している。
【００３０】
そして、図７のように第２のヒンジ部７を中心に、図中の矢印Ｄ方向に蓋体４を回転させる。これにより蓋開閉機構３によって蓋体４が開いた状態となり開口部２０が完全に開放される。このとき、蓋体４の裏面が筐体２の背面と重なるような状態となっている。
また、第２のヒンジ部７と図示しない連結部は同一直線状に設けられており、一体となって動作するので、蓋体４が第２のヒンジ部７に対して回転するとき、連結部に対しても回転する。
そして、筐体２はバッテリの収納部２１にさらに内蓋２２を持っているので、内蓋２２を引き上げることでバッテリの収納部２１が開放され、バッテリを自由に出し入れすることができる。
【００３１】
また、蓋開閉機構３を閉じるには、蓋開閉機構３を開く操作と逆の手順で操作する。
蓋体４を図７の矢印Ｄと逆方向に第2のヒンジ部７を中心として回転させる。次に、第1のヒンジ部６を中心に図６の矢印Ｃと逆方向に蓋体４を回転させる。このとき中間体５や蓋体４の裏面に設けたスライド部１１やヒンジカバー１２は、筐体２の表面からは見えなくなる。
そして、蓋体４を図５の矢印Ｂと逆方向に移動することで、蓋体４の係合凸部１４を筐体２の係合部１５に係合させ、蓋開閉機構３は完全に閉じた状態となる。
【００３２】
以上のように実施例に示した蓋開閉機構３は、中間体５とヒンジカバー１２と蓋体４に設けたスライド部１１から構成され、構成が簡単で、しかも少ない部品点数で実現することができる。
そして、蓋開閉機構３を筐体の表面に現れないようにする効果と、筐体２と蓋体４の境界線を目立たないようにする効果を有している。
【００３３】
上述した実施形態以外の実施形態として、中間体のヒンジ体と連結部の位置を逆とした構成としてもよい。また、中間体の両端をヒンジ体とする構成としても良い。
さらに、必要に応じてヒンジカバーを設けない構成としてもよい。ヒンジカバーを設けない構成では、より部品点数を削減することができる。
【００３４】
その他の実施形態として、蓋体が大型の場合は、中間体の軸部にヒンジ体を設ける構成にしても良い。
軸部にヒンジ体が設けられる場合は、ヒンジカバーを複数設けてもよい。さらに、必要に応じてヒンジカバーを設けない構成としてもよい。
【００３５】
また、蓋体が小型の場合は、蓋開閉機構の中間体を連結部と軸部を除いた構成としてもよい。これによって、中間体をより単純な形状で構成することができる。
【００３６】
本発明を実施する電子機器は、実施形態で説明した無線操縦装置に限らず、その他の電子機器としてもよい。
【００３７】
以上説明した実施形態によって本発明が限定されるものではなく、この形態に基づいて当業者等によりなされる実施可能な他の形態及び運用技術等はすべて本発明の範疇に含まれる。
【符号の説明】
【００３８】
１…無線操縦装置
２…筐体
３…蓋開閉機構
４…蓋体
５…中間体
６…第１のヒンジ部
７…第２のヒンジ部
８…ヒンジ体
１０…連結部
１１…スライド部
２０…開口部
【図１】
2013058708.tif 000003
【図２】
2013058708.tif 000004
【図３】
2013058708.tif 000005
【図４】
2013058708.tif 000006
【図５】
2013058708.tif 000007
【図６】
2013058708.tif 000008
【図７】
2013058708.tif 000009
【図８】
2013058708.tif 000010